(57)【要約】【課題】各種電子機器の入力操作部を構成する回転操作ユニットに関し、セットノブを回転させても電子機器の動作状態を変えることなく、そのセットノブに表示された意匠を正立位置に戻すことができるものを提供する。【解決手段】インクリメンタルエンコーダ１の回転軸１Ａに、操作軸２のフランジ部２Ａ下面中央に設けた係合穴２Ｄを係合して共廻り可能に組み合わせ、上記エンコーダ１上面に取り付けられたカバー４の下方開口部４Ｃにおける天井部中央の中孔４Ａからその上端部２Ｂを突出させて上下移動可能に操作軸２を保持させ、その突出した操作軸２の上端部２Ｂにセットノブ５４を取り付けると共に、フランジ部２Ａ上面と下方開口部４Ｃの天井面との間にコイルバネ３を圧縮状態に収容させた構成とし、セットノブ５４を引っ張って操作軸２と回転軸１Ａとの係合を解除してセットノブ５４の回転操作が可能なようにした。【選択図】図１
2008071503.tif 000002
【特許請求の範囲】
【請求項１】
上方に突出した回転軸を有した回転型電子部品と、外周にフランジ部を有し、上記回転軸に係合してその回転軸と一体に回転操作可能な略棒状の操作軸と、下方開口部中央の中孔から上記操作軸の上端部を上方に突出させると共に上下移動可能に保持し、コイルバネを上記下方開口部の天井面と上記操作軸のフランジ部との間で圧縮状態として上記下方開口部内に収容して上記回転型電子部品に固定されたカバーと、このカバーの上記中孔から突出した上記操作軸の上端部に取り付けられ、方向性のある意匠が表示されたセットノブとを備え、そのセットノブの回転操作で上記回転型電子部品を操作して所定機能を動作できる回転操作ユニットであって、上記セットノブを所望量回転させ、上記所定機能を作動させている状態において、上記セットノブを引き上げることにより、上記コイルバネが圧縮されつつ上記操作軸が引き上げられて上記操作軸と上記回転型電子部品の回転軸との係合状態が解除され、その状態で上記セットノブを回転させて上記意匠を正立状態とした後に上記セットノブの引き上げを解除すると、上記コイルバネの弾発付勢力で再び上記回転型電子部品の回転軸に上記操作軸が係合した状態に復帰される回転操作ユニット。
【請求項２】
カバーの下方開口部の天井面に凸部または凹部を設け、上記凸部または凹部に相対する凹部または凸部が操作軸のフランジ部上面に設置され、セットノブを引き上げて回転操作した際、上記セットノブに表示された意匠が正立状態となる位置において、上記カバーの凸部または凹部と上記フランジ部の凹部または凸部が嵌合して節度感を得ることができる構成とした請求項１記載の回転操作ユニット。
【発明の詳細な説明】
【技術分野】
【０００１】
本発明は、各種電子機器の入力操作部を構成する回転操作ユニットに関するものである。
【背景技術】
【０００２】
各種電子機器の入力操作部の形態は多々あるが、特にカーオーディオ機器などでは、回転型電子部品の回転操作可能な回転軸の端部にセットノブが取り付けられ、そのセットノブの回転操作により音量調整等を行う回転操作ユニットを用いたものが増えている。
【０００３】
以下、従来の回転操作ユニットについて、図７〜図９を用いて説明する。
【０００４】
図７は従来の回転操作ユニットが組み込まれたカーオーディオ機器の操作パネルを示す正面図、図８は同セットノブの正面図、図９は同セットノブを回転操作した状態の正面図である。
【０００５】
図７に示したように、カーオーディオ機器のコントロールパネル５１には、回転操作ユニット５２が組み込まれており、その回転操作ユニット５２を構成する回転型電子部品としてインクリメンタルエンコーダ（図示せず）が音量調整用に用いられている場合を例にして説明する。このインクリメンタルエンコーダの回転軸にはセットノブ５４が取り付けられ、その前端部分は操作可能なように操作パネル５１から突出している。なお、５３は各種情報表示用のディスプレーパネルである。
【０００６】
そして、このセットノブ５４の正面には、図８に示すように、その機能を明示する方向性のある意匠５５が表示されている。
【０００７】
ここで、上記回転操作ユニット５２としては、再生されるオーディオ信号の音量レベルを調整するために、インクリメンタルエンコーダを用いて、その信号をマイクロプロセッサー制御システムに関連付けた構成のものとなっている。
【０００８】
つまり、インクリメンタルエンコーダは、２つの方形波パルス信号を発生し、その信号情報によりマイクロプロセッサーが音量レベルを調整するものとされている。その調整方法の概要は、２つの方形波パルス信号の相対位相差によって回転軸の回転方向が特定され、パルス信号の発生数により音量レベルの増減がなされるものとなっている。
【０００９】
従って、カーオーディオ機器を使用する際は、セットノブ５４を回転操作して、利用者の好みの音量レベルに増減調整するものであった。
【００１０】
なお、この出願の発明に関連する先行技術文献情報としては、例えば、特許文献１が知られている。
【特許文献１】特開２０００−１８４４７９号公報
【発明の開示】
【発明が解決しようとする課題】
【００１１】
しかしながら、上記従来の回転操作ユニットにおいては、インクリメンタルエンコーダ（回転型電子部品）の回転軸を回転操作して音量レベルを調整するため、その調整後は、図９に示すように、セットノブ５４に表示された方向性のある意匠５５が必ずしも正立状態にならずに傾いた状態の表示となるため、利用者に不安定感を与えて品位の劣った感じとなり、意匠が正立状態にできる回転操作ユニットへの改善要望があった。
【００１２】
本発明は、このような従来の課題を解決するものであり、作動している音量レベルなどの状態を変化させることなく、セットノブを回転操作して、そのセットノブに表示された方向性のある意匠を正立する位置に戻すことができる品位の優れた回転操作ユニットを提供することを目的とする。
【課題を解決するための手段】
【００１３】
上記目的を達成するために本発明は、以下の構成を有するものである。
【００１４】
本発明の請求項１に記載の発明は、上方に突出した回転軸を有した回転型電子部品と、外周にフランジ部を有し、上記回転軸に係合してその回転軸と一体に回転操作可能な略棒状の操作軸と、下方開口部中央の中孔から上記操作軸の上端部を上方に突出させると共に上下移動可能に保持し、コイルバネを上記下方開口部の天井面と上記操作軸のフランジ部との間で圧縮状態として上記下方開口部内に収容して上記回転型電子部品に固定されたカバーと、このカバーの上記中孔から突出した上記操作軸の上端部に取り付けられ、方向性のある意匠が表示されたセットノブとを備え、そのセットノブの回転操作で上記回転型電子部品を操作して所定機能を動作できる回転操作ユニットであって、上記セットノブを所望量回転させ、上記所定機能を作動させている状態において、上記セットノブを引き上げることにより、上記コイルバネが圧縮されつつ上記操作軸が引き上げられて上記操作軸と上記回転型電子部品の回転軸との係合状態が解除され、その状態で上記セットノブを回転させて上記意匠を正立状態とした後に上記セットノブの引き上げを解除すると、上記コイルバネの弾発付勢力で再び上記回転型電子部品の回転軸に上記操作軸が係合した状態に復帰される回転操作ユニットとしたものであり、回転型電子部品を回転操作して音量レベルなどの調整をした後に、セットノブを引き上げて操作軸と回転軸との係合が解除された状態でセットノブを回転操作することができるため、調整後の音量レベルなどの状態を変えることなく維持して、セットノブに表示された方向性のある意匠を正立する位置に回転修正することができ、用いられる電子機器の品位向上に寄与することができる回転操作ユニットが実現できるという作用を有する。
【００１５】
請求項２に記載の発明は、請求項１記載の発明において、カバーの下方開口部の天井面に凸部または凹部を設け、上記凸部または凹部に相対する凹部または凸部が操作軸のフランジ部上面に設置され、セットノブを引き上げて回転操作した際、上記セットノブに表示された意匠が正立状態となる位置において、上記カバーの凸部または凹部と上記フランジ部の凹部または凸部が嵌合して節度感を得ることができる構成としたものであり、セットノブを引っ張って回転操作する際に、カバーの凸部または凹部が操作軸の凹部または凸部に係合する際の節度感により、操作者が意匠の正立状態を目視確認することなく、回転操作時の感触変化のみで意匠を正立状態に戻すことができるという作用を有する。
【発明の効果】
【００１６】
以上のように本発明によれば、回転型電子部品を回転操作して音量レベルなどの調整をして、セットノブに表示された方向性のある意匠が非正立状態となった際に、その音量レベルなどの作動状態を変化させることなくセットノブを回転させて、上記意匠を正立する位置に回転修正することができる回転操作ユニットが実現でき、電子機器の品位向上に寄与することができるという有利な効果が得られる。
【発明を実施するための最良の形態】
【００１７】
以下、本発明の実施の形態について、図１〜図６を用いて説明する。その事例としては従来同様に、回転型電子部品としてインクリメンタルエンコーダが音量調整用に用いられた回転操作ユニットがカーオーディオ機器に搭載されているものを例として説明する。なお、従来と同一構成の部分には、同一符号を付して詳細な説明は省略する。
【００１８】
（実施の形態）
図１は本発明の一実施の形態による回転操作ユニットの断面図、図２は同セットノブを引っ張った状態の断面図、図３は同セットノブの正面図である。
【００１９】
図１において、１は上方に突出した回転軸１Ａを回転操作できるインクリメンタルエンコーダであり、２は略棒状の操作軸で、下方が拡径したストッパー部２Ｃとなり、そのストッパー部２Ｃの下方外周がフランジ部２Ａとなって、その下面中央には係合穴２Ｄが設けられている。
【００２０】
そして、上記インクリメンタルエンコーダ１の回転軸１Ａに上記操作軸２のフランジ部２Ａ下面に設けられた係合穴２Ｄが係合して、操作軸２の回転に合わせて回転軸１Ａが共廻りするように組み合わされている。
【００２１】
また、４は周囲の平板部４Ｂの中央位置から上方に突出した筒状部内で構成される下方開口部４Ｃを有し、その下方開口部４Ｃ上を覆う天井部中央に中孔４Ａを備えた絶縁樹脂製のカバーであり、このカバー４は、操作軸２の上端部２Ｂを上記中孔４Ａから上方に突出させると共に操作軸２を上下移動可能に保持し、上記下方開口部４Ｃ内でコイルバネ３を操作軸２のフランジ部２Ａ上面と下方開口部４Ｃの天井面との間で圧縮状態にして上記下方開口部４Ｃ内に収容し、上記平板部４Ｂがインクリメンタルエンコーダ１の上面にネジ５で固定されている。
【００２２】
そして従来同様に、操作軸２の上端部２Ｂには図３に示すような方向性のある意匠５５が表示されたセットノブ５４が取り付けられ、搭載された機器の操作パネルから突出したセットノブ５４を回転操作して、音量レベルを調整することができるものとして構成されている。
【００２３】
上記構成の回転操作ユニットは、セットノブ５４が回転操作されると、セットノブ５４が取り付けられた操作軸２が一体で回転し、さらにこの操作軸２下端で係合状態にあるインクリメンタルエンコーダ１の回転軸１Ａが回転されてパルス信号が発生され、カーオーディオ機器の音量レベルがそのパルス信号の発生数に応じて変更される。
【００２４】
ここで、このカーオーディオ機器のセットノブ５４を回転させて音量レベルを好みの状態にした後は、セットノブ５４に表示された方向性のある意匠５５が傾いた状態となる。
【００２５】
この状態において、図２に示すようにセットノブ５４を上方へ引き上げると、セットノブ５４と一体に結合された操作軸２が引き上げられ、そのフランジ部２Ａの移動によりコイルバネ３が下方開口部４Ｃの天井面との間でさらに圧縮されると共に、操作軸２下面の係合穴２Ｄからインクリメンタルエンコーダ１の回転軸１Ａが外れて係合状態が解除され、次に操作軸２の平坦なストッパー部２Ｃ上面がカバー４の天井面に当接して停止する。
【００２６】
このセットノブ５４に引き上げ力を加えて操作軸２のストッパー部２Ｃがカバー４に当接した状態を維持してセットノブ５４を回転操作すると、回転軸１Ａとの係合状態が解除されているため、操作軸２のみが回転して、インクリメンタルエンコーダ１の回転軸１Ａは回転しないため、好みに応じて調整した音量レベルは変化しない。
【００２７】
従って、この状態であればインクリメンタルエンコーダ１の状態を変えることなく、セットノブ５４を、その前面に表示されている方向性のある意匠５５が正立する位置まで回転させることができる。
【００２８】
そして、意匠５５が正立状態となる位置までセットノブ５４を回転させた後、セットノブ５４に加えていた引き上げ力を解除すると、コイルバネ３の弾発付勢力で操作軸２は下方に押し戻されて、図１に示すインクリメンタルエンコーダ１の回転軸１Ａと共廻り可能な係合状態に復帰する。
【００２９】
以上のように、本実施の形態による回転操作ユニットは、セットノブ５４を引き上げながら回転操作する際には、操作軸２と回転軸１Ａとの係合状態が解除されており、それまでのカーオーディオ機器の作動状態を変えることがないため、カーオーディオ機器の音量レベルの状態を変化させることなくセットノブ５４の回転が任意にできる。
【００３０】
つまり、セットノブ５４に表示された方向性のある意匠５５を、カーオーディオ機器の作動状態を変えずに、図３に示すように正立する方向に回転修正することが可能となるものにでき、セットの品位向上に大きく寄与できるものである。
【００３１】
次に、セットノブ５４に表示された方向性のある意匠５５を、目視確認することなく正立状態にすることができる形態について、図４〜図６を用いて説明する。
【００３２】
図４において、１は回転軸１Ａを回転操作できるインクリメンタルエンコーダ、１２は操作軸であり、この操作軸１２も上述した操作軸２と同様にストッパー部１２Ｃの下方外周がフランジ部１２Ａとなり、このフランジ部１２Ａの下面中央に設けられた係合穴１２Ｄに上記回転軸１Ａが係合して、この操作軸１２の回転に合わせて回転軸１Ａが共廻り可能に組み合わされている。
【００３３】
そして、１４は上記インクリメンタルエンコーダ１上面に周囲の平板部１４Ｂが取り付けられた絶縁樹脂製のカバーで、その平板部１４Ｂの中央位置から上方に突出した筒状部内で構成される下方開口部１４Ｃを有し、その下方開口部１４Ｃ上を覆う天井部中央の中孔１４Ａに、操作軸１２が挿通して上下移動可能に保持され、そのカバー１４から上方に突出した操作軸１２の上端部１２Ｂにセットノブ５４が取り付けられていると共に、上記下方開口部１４Ｃ内にはコイルバネ３を操作軸１２のフランジ部１２Ａ上面と下方開口部１４Ｃの天井面との間で圧縮状態に収容した構成となっている。
【００３４】
以上は、上述の図１と同じであるが、操作軸１２のストッパー部１２Ｃ上面には凹部１２Ｅが設けられ、このストッパー部１２Ｃ上面に対面するカバー１４の下方開口部１４Ｃの天井面に、上記凹部１２Ｅに係合する凸部１４Ｄが設けられているところが異なっている。
【００３５】
そして、この操作軸１２の凹部１２Ｅとカバー１４の凸部１４Ｄが係合する位置関係は、操作軸１２に組み合わされたセットノブ５４に表示された方向性のある意匠５５が正立する位置関係に合わせて設けられている。
【００３６】
この構成の回転操作ユニットにおいて、図５に示すようにセットノブ５４を上方へ引き上げると、コイルバネ３をさらに圧縮させながらセットノブ５４と一体に結合されて組み合わされている操作軸１２が上方に移動し、そのフランジ部１２Ａ下面の係合穴１２Ｄからインクリメンタルエンコーダ１の回転軸１Ａが外れて係合状態が解除され、次に操作軸１２のストッパー部１２Ｃ上面がカバー１４の凸部１４Ｄ下端に当接する。
【００３７】
このセットノブ５４に引き上げ力を加えた状態で、セットノブ５４を回転操作していくと、図６に示すように、操作軸１２の凹部１２Ｅがカバー１４の凸部１４Ｄに節度感を伴って嵌まり込む。この位置で、セットノブ５４に表示された方向性のある意匠５５は正立状態となる位置まで回転されている。
【００３８】
次に、セットノブ５４に加えていた引き上げ力を解除すると、コイルバネ３の弾発付勢力でセットノブ５４と共に操作軸１２は下方に押し下げられ、操作軸１２の係合穴１２Ｄがインクリメンタルエンコーダ１の回転軸１Ａに共廻り可能な係合状態に復帰する。
【００３９】
このように、当該構成の回転操作ユニットとすれば、インクリメンタルエンコーダ１の回転軸１Ａを回転させることなくセットノブ５４を回転させることができることに加えて、カバー１４の凸部１４Ｄが操作軸１２の凹部１２Ｄに係合する際の節度感により、意匠５５の正立位置が感触的に分かるものにできる。
【００４０】
従って、操作者が意匠５５の正立状態を目視確認することなく、回転操作時の感触変化のみで意匠５５を正立状態にできて、操作者がセットノブ５４の意匠表示を見ながら回転操作しなくても良いため、操作性向上に大きく寄与できる。
【００４１】
なお、上記形態のものでは、操作軸１２のストッパー側に凹部１２Ｅを設け、カバー１４の天井面に凸部１４Ｄを設けた構成としたが、操作軸側に凸部、カバー側に凹部を設けても良い。
【００４２】
また、凹部、凸部の配置数についても方向性のある意匠の正立する角度に応じて配置すれば良く、例えば、１８０度回転毎に正立する意匠であれば、凹部、凸部をそれぞれ同一円周上の１８０度位置の２ヶ所に設ければ良い。
【産業上の利用可能性】
【００４３】
本発明による回転操作ユニットは、回転型電子部品を回転操作して音量レベルなどの調整をした後に、その音量レベルなどの状態を変化させることなく、セットノブに表示された方向性のある意匠を正立する位置に回転修正することができるという特徴を有し、各種電子機器の入力操作部を構成する際等に有用である。
【図面の簡単な説明】
【００４４】
【図１】本発明の一実施の形態による回転操作ユニットの断面図
【図２】同セットノブを引っ張った状態の断面図
【図３】同セットノブの正面図
【図４】別の形態による回転操作ユニットの断面図
【図５】同セットノブを引っ張った状態の断面図
【図６】同セットノブを引っ張って回転させ操作軸の凹部とカバーの凸部が嵌まり込んだ状態を示す断面図
【図７】従来の回転操作ユニットが組み込まれたカーオーディオ機器の操作パネルを示す正面図
【図８】同セットノブの正面図
【図９】同セットノブを回転操作した状態の正面図
【符号の説明】
【００４５】
１  インクリメンタルエンコーダ
１Ａ  回転軸
２，１２  操作軸
２Ａ，１２Ａ  フランジ部
２Ｂ，１２Ｂ  上端部
２Ｃ，１２Ｃ  ストッパー部
２Ｄ，１２Ｄ  係合穴
３  コイルバネ
４，１４  カバー
４Ａ，１４Ａ  中孔
４Ｂ，１４Ｂ  平板部
４Ｃ，１４Ｃ  下方開口部
５  ネジ
１２Ｅ  凹部
１４Ｄ  凸部
５４  セットノブ
５５  意匠
【図１】
2008071503.tif 000003
【図２】
2008071503.tif 000004
【図３】
2008071503.tif 000005
【図４】
2008071503.tif 000006
【図５】
2008071503.tif 000007
【図６】
2008071503.tif 000008
【図７】
2008071503.tif 000009
【図８】
2008071503.tif 000010
【図９】
2008071503.tif 000011